(57)【要約】【課題】情報の誤入力の発生を低減できる制御装置を提供する。【解決手段】制御装置１は、基板、第１スイッチ、ケース５、パネル６及び第２スイッチを備える。第１スイッチは、その一部が特定の方向に変位することによって信号を出力する。第２スイッチは、パネル６の表面６ａに利用者が触れることによって信号を出力する。第１スイッチは、パネル６の表面６ａ側からの利用者の操作によって上記一部が特定の方向に変位可能となるように配置される。【選択図】図６
2018147872.tif 000002
【特許請求の範囲】
【請求項１】
基板と、
前記基板の第１表面に設けられた第１スイッチと、
前記基板の前記第１表面に対向するケースと、
前記第１表面と同じ方向を向く前記ケースの第２表面に設けられたパネルと、
前記ケース及び前記パネルの間に配置された第２スイッチと、
を備え、
前記第１スイッチは、その一部が特定の方向に変位することによって信号を出力し、
前記第２スイッチは、前記第１表面と同じ方向を向く前記パネルの第３表面に利用者が触れることによって信号を出力し、
前記第１スイッチは、前記パネルの前記第３表面側からの利用者の操作によって前記一部が前記特定の方向に変位可能となるように配置された制御装置。
【請求項２】
前記第１スイッチはタクタイルスイッチであり、
前記ケースに第１貫通孔が形成され、
前記パネルに第２貫通孔が形成され、
前記第１スイッチと前記第１貫通孔と前記第２貫通孔とは一直線状に配置された請求項１に記載の制御装置。
【請求項３】
前記第２スイッチは静電容量スイッチである請求項１又は請求項２に記載の制御装置。
【請求項４】
前記第２スイッチに第３貫通孔が形成され、
前記第１スイッチと前記第１貫通孔と前記第２貫通孔と前記第３貫通孔とは一直線状に配置された請求項２に記載の制御装置。
【請求項５】
前記第２スイッチは、シート部材と前記シート部材に配置された電極とを備えた静電容量スイッチであり、
前記第３貫通孔は前記シート部材に形成された請求項４に記載の制御装置。
【請求項６】
前記第３貫通孔は、前記電極によって周囲が囲まれた請求項５に記載の制御装置。
【請求項７】
前記ケースは、前記第２スイッチの前記一部の周囲を囲む防塵部を備えた請求項１から請求項６の何れか一項に記載の制御装置。
【請求項８】
基板と、
前記基板の第１表面に設けられたタクタイルスイッチと、
前記基板の前記第１表面に対向するケースと、
前記第１表面と同じ方向を向く前記ケースの第２表面に設けられたパネルと、
前記ケース及び前記パネルの間に設けられた静電容量スイッチと、
を備え、
前記ケースに第１貫通孔が形成され、
前記パネルに第２貫通孔が形成され、
前記静電容量スイッチに第３貫通孔が形成され、
前記タクタイルスイッチと前記第１貫通孔と前記第２貫通孔と前記第３貫通孔とは一直線状に配置された制御装置。
【請求項９】
前記ケースを一部に含み、前記基板が内部に配置された本体ケースを更に備え、
前記基板は、
制御回路を構成する第１基板と、
前記制御回路に電力を供給するための電源回路を構成する第２基板と、
を備え、
前記本体ケースは、前記電源回路を囲む延焼防止部を更に備えた請求項１から請求項８の何れか一項に記載の制御装置。
【請求項１０】
前記延焼防止部は、前記第２基板の周囲を囲む延焼防止壁を備え、
前記第１基板と前記第２基板とは、前記延焼防止壁を間に挟んで隣接するように配置された請求項９に記載の制御装置。
【発明の詳細な説明】
【技術分野】
【０００１】
この発明は、制御装置に関する。
【背景技術】
【０００２】
特許文献１に、照明システムに用いられる装置が記載されている。特許文献１に記載された装置は、壁等に設置される。利用者は、この装置の前面に設けられたパネルに触れることによって情報を入力する。
【先行技術文献】
【特許文献】
【０００３】
【特許文献１】特開２０１０−２２５４６４号公報
【発明の概要】
【発明が解決しようとする課題】
【０００４】
照明システムを利用する者は、様々な情報をシステムに入力する。利用者が入力する情報には、入力頻度の高い情報と低い情報とがある。例えば、照度を変更するための情報は頻繁に入力される。一方、システムの設定を変更するための情報は、頻繁に入力されるものではない。特許文献１に記載された装置のように、パネルに触れることによって上記双方の情報が入力できる場合は、利用者が意図しないところで、入力頻度の低い情報が入力されてしまうことがあった。このような問題は、照明システム以外のシステムにおいても同様に発生し得る。
【０００５】
この発明は、上述のような課題を解決するためになされた。この発明の目的は、情報の誤入力の発生を低減できる制御装置を提供することである。
【課題を解決するための手段】
【０００６】
この発明に係る制御装置は、基板と、基板の第１表面に設けられた第１スイッチと、基板の第１表面に対向するケースと、第１表面と同じ方向を向くケースの第２表面に設けられたパネルと、ケース及びパネルの間に配置された第２スイッチと、を備える。第１スイッチは、その一部が特定の方向に変位することによって信号を出力する。第２スイッチは、第１表面と同じ方向を向くパネルの第３表面に利用者が触れることによって信号を出力する。第１スイッチは、パネルの第３表面側からの利用者の操作によって上記一部が特定の方向に変位可能となるように配置される。
【０００７】
この発明に係る制御装置は、基板と、基板の第１表面に設けられたタクタイルスイッチと、基板の第１表面に対向するケースと、第１表面と同じ方向を向くケースの第２表面に設けられたパネルと、ケース及びパネルの間に設けられた静電容量スイッチと、を備える。ケースに第１貫通孔が形成される。パネルに第２貫通孔が形成される。静電容量スイッチに第３貫通孔が形成される。タクタイルスイッチと第１貫通孔と第２貫通孔と第３貫通孔とは一直線状に配置される。
【発明の効果】
【０００８】
この発明に係る制御装置は、例えば基板の第１表面に設けられた第１スイッチとケース及びパネルの間に配置された第２スイッチとを備える。第１スイッチは、その一部が特定の方向に変位することによって信号を出力する。第２スイッチは、第１表面と同じ方向を向くパネルの第３表面に利用者が触れることによって信号を出力する。第１スイッチは、パネルの第３表面側からの利用者の操作によって一部が特定の方向に変位可能となるように配置される。この発明に係る制御装置であれば、情報の誤入力の発生を低減できる。
【図面の簡単な説明】
【０００９】
【図１】この発明の実施の形態１における制御装置の例を示す斜視図である。
【図２】図１に示す制御装置の分解図である。
【図３】図２に示す制御基板及び電源基板を拡大した図である。
【図４】図２に示すケースを拡大した図である。
【図５】図２に示す静電容量スイッチを拡大した図である。
【図６】図１のＡ−Ａ断面を示す図である。
【図７】図１のＡ−Ａ断面の他の例を示す図である。
【図８】図１のＡ−Ａ断面の他の例を示す図である。
【図９】タクタイルスイッチの押し方を説明するための図である。
【図１０】タクタイルスイッチの他の配置例を示す図である。
【図１１】図１のＡ−Ａ断面の他の例を示す図である。
【図１２】制御装置の他の例を示す図である。
【図１３】図１２のＣ−Ｃ断面を示す図である。
【図１４】この発明の実施の形態２における制御装置の例を示す分解図である。
【図１５】この発明の実施の形態２における制御装置の例を示す分解図である。
【図１６】この発明の実施の形態２における制御装置の例を示す分解図である。
【図１７】制御基板及び電源基板をケースに収納した状態を示す斜視図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１における制御装置１の例を示す斜視図である。図２は、図１に示す制御装置１の分解図である。制御装置１は、例えば照明システムに備えられる。利用者は、制御装置１を操作して照明を点灯させる。利用者は、制御装置１を操作して照明を消灯させる。利用者は、制御装置１を操作して照明の光の強さを変える。利用者は、制御装置１を操作してシステムの設定を変更する。制御装置１は、照明システム以外のシステムに備えられても良い。制御装置１が他のシステムに備えられる場合でも、利用者は制御装置１を操作して情報を入力することができる。
【００１２】
制御装置１は、例えば制御基板２、電源基板３、ケース４、ケース５、パネル６、静電容量スイッチ７、カバー８及びカバー９を備える。また、制御装置１は、タクタイルスイッチ１０、電源端子台１１及び電源線１２を更に備える。室内の壁面に固定金具１３が設けられる。制御装置１は、固定金具１３に取り付けられる。
【００１３】
図２は、制御装置１が制御基板２及び電源基板３の２つの基板を備える例を示す。制御装置１が備える基板は１つでも良い。図３は、図２に示す制御基板２及び電源基板３を拡大した図である。制御基板２に、例えばプロセッサ、メモリ、ＬＥＤ１４及びタクタイルスイッチ１０等が設けられる。図２及び図３は、制御基板２の表面２ａに多数のＬＥＤ１４と３つのタクタイルスイッチ１０が設けられる例を示す。制御基板２に実装されるＬＥＤ１４の数及びタクタイルスイッチ１０の数は、図２及び図３に示す例に限定されない。
【００１４】
ケース４は、制御基板２の表面２ｂ（図２及び図３では図示せず）側から制御基板２及び電源基板３を覆うように配置される。表面２ｂは、表面２ａが向く方向とは反対の方向を向く面である。ケース４は、制御基板２の表面２ｂに対向する。
【００１５】
図４は、図２に示すケース５を拡大した図である。ケース５は、制御基板２の表面２ａ側から制御基板２及び電源基板３を覆うように配置される。ケース５は、制御基板２の表面２ａに対向する。ケース４は、ネジ１５によってケース５に固定される。制御基板２及び電源基板３は、ケース４とケース５とに挟まれることによって固定される。
【００１６】
ケース５に、貫通孔１６、貫通孔１７及び貫通孔１８が形成される。貫通孔１６は、ＬＥＤ１４の位置に合わせて配置される。貫通孔１７は、タクタイルスイッチ１０の位置に合わせて配置される。図２及び図４は、ケース５に、タクタイルスイッチ１０の数に合わせて３つの貫通孔１７が形成される例を示す。ケース５の表面５ａに、静電容量スイッチ７の外形より一回り大きな窪み１９が形成される。ケース５の表面５ａは、制御基板２の表面２ａと同じ方向を向く面である。貫通孔１６、貫通孔１７及び貫通孔１８は、表面５ａのうち窪み１９の底面に相当する部分で開口する。
【００１７】
パネル６は、ケース５の表面５ａに設けられる。パネル６の表面６ａは、制御装置１の前面を形成する。パネル６の表面６ａは、制御基板２の表面２ａと同じ方向を向く面である。パネル６は、例えば両面テープによってケース５に固定される。パネル６は、ケース５の表面５ａに形成された窪み１９を覆うように配置される。パネル６に、貫通孔２０が形成される。貫通孔２０は、タクタイルスイッチ１０の位置に合わせて配置される。図１及び図２は、パネル６に、タクタイルスイッチ１０の数に合わせて３つの貫通孔２０が形成される例を示す。
【００１８】
図５は、図２に示す静電容量スイッチ７を拡大した図である。静電容量スイッチ７は、パネル６の表面６ｂ（図１及び図２では図示せず）に設けられる。パネル６の表面６ｂは、表面６ａとは反対の方向を向く面である。静電容量スイッチ７は、例えば両面テープによってパネル６に固定される。静電容量スイッチ７は、ケース５とパネル６との間に配置される。静電容量スイッチ７は、ケース５に形成された窪み１９の内側に配置される。静電容量スイッチ７に、貫通孔２１が形成される。貫通孔２１は、タクタイルスイッチ１０の位置に合わせて配置される。図２及び図５は、静電容量スイッチ７に、タクタイルスイッチ１０の数に合わせて３つの貫通孔２１が形成される例を示す。
【００１９】
静電容量スイッチ７は、例えばシート部材２２とシート部材２２に配置された電極２３とを備える。図５は、貫通孔２１がシート部材２２に形成される例を示す。電極２３は、パネル６に付された図柄或いは文字等の位置に合わせて配置される。静電容量スイッチ７の接続部７ａは、ケース５に形成された貫通孔１８を貫通し、制御基板２に接続される。
【００２０】
図６は、図１のＡ−Ａ断面を示す図である。タクタイルスイッチ１０、ケース５に形成された貫通孔１７、静電容量スイッチ７に形成された貫通孔２１及びパネル６に形成された貫通孔２０は、一直線状に配置される。タクタイルスイッチ１０は、ボタン部１０ａを備える。タクタイルスイッチ１０は、ボタン部１０ａが図６に示すＢ方向に変位することによって信号を出力する。タクタイルスイッチ１０は、ボタン部１０ａがケース５に形成された貫通孔１７に対向するように配置される。制御装置１をパネル６の表面６ａ側から見ると、貫通孔２０、貫通孔２１及び貫通孔１７を介してタクタイルスイッチ１０のボタン部１０ａを視認することができる。
【００２１】
図７は、図１のＡ−Ａ断面の他の例を示す図である。図７に示す例では、タクタイルスイッチ１０のボタン部１０ａの先端部が貫通孔１７の内側に配置される。なお、タクタイルスイッチ１０は、ボタン部１０ａがパネル６の表面６ａから突出しなければ良い。このため、ボタン部１０ａが貫通孔１７を貫通し、その先端部が静電容量スイッチ７とケース５との間に配置されても良い。ボタン部１０ａの先端部は貫通孔２１の内側に配置されても良い。ボタン部１０ａは貫通孔１７及び貫通孔２１を貫通し、その先端部が貫通孔２０の内側に配置されても良い。
【００２２】
図８は、図１のＡ−Ａ断面の他の例を示す図である。図８に示す例では、ケース５に、表面５ｂから突出する防塵部２４が備えられる。ケース５の表面５ｂは、表面５ａとは反対の方向を向く面である。防塵部２４は、タクタイルスイッチ１０のボタン部１０ａの周囲を囲むように配置される。図８に示す例であれば、貫通孔１７を通って制御装置１の内部に入るごみを低減できる。
【００２３】
電源端子台１１は、制御基板２の表面２ｂに設けられる。電源端子台１１は、ケース４に形成された貫通孔を貫通する。電源端子台１１に電源線１２が接続される。カバー８は、電源線１２の一部を覆うようにケース４に取り付けられる。また、制御基板２の表面２ｂに設けられた一部の電子部品は、ケース４に形成された貫通孔を貫通する。カバー９は、これらの電子部品を覆うようにケース４に取り付けられる。
【００２４】
次に、制御装置１を使用する方法について説明する。例えば、パネル６の表面６ａに、照明を点灯させることを示すマークが付される。照明を点灯させたい利用者は、そのマークの位置でパネル６の表面６ａに触れる。これにより、照明を点灯させるための信号が静電容量スイッチ７から出力される。同様に、パネル６の表面６ａに、照明の光を強くすることを示すマークが付される。部屋が暗いと感じる利用者は、そのマークの位置でパネル６の表面６ａに触れる。これにより、照明の光を強くするための信号が静電容量スイッチ７から出力される。利用者は、パネル６の表面６ａに触れることによって、入力頻度の高い情報を入力することができる。
【００２５】
一方、利用者は、パネル６の表面６ａに触れるだけでは、特定の情報を入力することはできない。例えば、利用者は、パネル６の表面６ａに触れるだけでは、システムの設定を変更することはできない。システムの設定を変更したい利用者は、タクタイルスイッチ１０を押す。タクタイルスイッチ１０を押すための操作は、パネル６の表面６ａ側から行われる。
【００２６】
図９は、タクタイルスイッチ１０の押し方を説明するための図である。利用者は、細い棒状部材２５を貫通孔２０から制御装置１の内部に挿入する。利用者は、棒状部材２５の先端がタクタイルスイッチ１０のボタン部１０ａに接触した後、棒状部材２５を更にＢ方向に移動させることにより、タクタイルスイッチ１０を押すことができる。
【００２７】
なお、静電容量スイッチ７から出力された信号に基づいて行われる制御内容は任意に設定される。タクタイルスイッチ１０から出力された信号に基づいて行われる制御内容は任意に設定される。静電容量スイッチ７から出力された信号に基づいて行われる制御内容とタクタイルスイッチ１０から出力された信号に基づいて行われる制御内容とが同じであっても良い。静電容量スイッチ７に不具合が発生した場合に、タクタイルスイッチ１０を用いて操作を行っても良い。制御装置１では、静電容量スイッチ７及びタクタイルスイッチ１０から同時に信号が出力された場合に、特殊な制御を行っても良い。
【００２８】
本実施の形態に示す例であれば、静電容量スイッチ７を用いた通常の入力操作では、タクタイルスイッチ１０は押されない。このため、情報の誤入力の発生を低減できる。また、本実施の形態に示す例では、利用者は、パネル６の表面６ａ側からの操作によってタクタイルスイッチ１０を押すことができる。静電容量スイッチ７を用いて情報を入力する際の操作方向とタクタイルスイッチ１０を用いて情報を入力する際の操作方向とが同じであるため、操作性に優れる。
【００２９】
本実施の形態では、制御装置１が静電容量スイッチ７を備える例について説明した。静電容量スイッチ７は、利用者がパネル６の表面６ａに触れることによって信号を出力するスイッチの一例である。ケース５とパネル６との間に、他のスイッチが配置されても良い。例えば、制御装置１は、抵抗膜方式のスイッチを備えても良い。
【００３０】
本実施の形態では、制御装置１がタクタイルスイッチ１０を備える例について説明した。タクタイルスイッチ１０は、その一部が特定の方向に変位することによって信号を出力するスイッチの一例である。制御基板２の表面２ａに、他のスイッチが設けられても良い。例えば、制御装置１は、ツマミが回転することによって信号を出力するスイッチを備えても良い。制御装置１は、レバーが倒されることによって信号を出力するスイッチを備えても良い。制御基板２の表面２ａにレバーを有するスイッチが設けられる場合、ケース５、静電容量スイッチ７及びパネル６に、レバーの位置に合わせてスリットを形成しても良い。
【００３１】
本実施の形態では、静電容量スイッチ７のシート部材２２に貫通孔２１を形成し、タクタイルスイッチ１０を貫通孔２１の中心軸上に配置する例について説明した。これは一例である。タクタイルスイッチ１０は、パネル６の表面６ａ側から見て静電容量スイッチ７が配置されていない位置に配置されても良い。かかる場合、タクタイルスイッチ１０は、貫通孔１７及び貫通孔２０と一直線状に配置される。
【００３２】
図１０は、タクタイルスイッチ１０の他の配置例を示す図である。図１０は、静電容量スイッチ７とタクタイルスイッチ１０の位置関係を示す。また、図１０は、静電容量スイッチ７とタクタイルスイッチ１０とをパネル６の表面６ａ側から見た状態を示す。図１０は、貫通孔２１が電極２３によって周囲が囲まれる例を示す。タクタイルスイッチ１０は、パネル６の表面６ａ側から見て電極２３に重なるように配置される。図１０に示す例であれば、電極２３が形成された範囲内において、静電容量スイッチ７を用いた入力とタクタイルスイッチ１０を用いた入力との双方を行うことができる。
【００３３】
制御基板２の表面２ａに設けられるスイッチは、パネル６の表面６ａ側からの利用者の操作によって、上記一部が特定の方向に変位可能となるように配置されていれば良い。また、制御基板２の表面２ａに設けられるスイッチは、利用者がパネル６の表面６ａに触れるだけでは、上記一部が特定の方向に変位しなければ良い。以下に、このような機能を実現するための他の例について説明する。
【００３４】
図１１は、図１のＡ−Ａ断面の他の例を示す図である。図１１に示す例では、静電容量スイッチ７に貫通孔２１が形成されていない。パネル６に形成された貫通孔２０は、静電容量スイッチ７のシート部材２２によって塞がれる。タクタイルスイッチ１０のボタン部１０ａは、貫通孔１７を貫通し、先端が静電容量スイッチ７のシート部材２２にケース５側から接触する。なお、ボタン部１０ａと静電容量スイッチ７との間に隙間が形成されていても良い。
【００３５】
静電容量スイッチ７のシート部材２２は伸縮性を有する。このため、図１１に示す例においても、利用者は、棒状部材２５を貫通孔２０から挿入することによってタクタイルスイッチ１０を押すことができる。図１１に示す例であれば、ごみが貫通孔２０から制御装置１の内部に入ることを防止できる。
【００３６】
図１２は、制御装置１の他の例を示す図である。図１２は、棒状部材２５等を通すための孔をパネル６に形成しない例を示す。図１２は、パネル６のうち、図１において貫通孔２０が形成されていた部分を示す正面図である。図１３は、図１２のＣ−Ｃ断面を示す図である。図１３に示す断面は、図１のＡ−Ａ断面に相当する。
【００３７】
図１２及び図１３に示す例では、パネル６に弾性部２６が備えられる。弾性部２６は、表面６ａ側から見てコの字状のスリット２７が形成されることによってパネル６に形成される。弾性部２６をパネル６の表面６ａ側から押すと、図１３に破線で示されるように弾性部２６が変形する。タクタイルスイッチ１０のボタン部１０ａを静電容量スイッチ７のシート部材２２にケース５側から接触するように配置しておけば、弾性部２６を表面６ａ側から押すことによってタクタイルスイッチ１０を押すことができる。
【００３８】
図１２及び図１３に示す例では、棒状部材２５等を用いなければタクタイルスイッチ１０を押すことができないようにしておくことが好ましい。例えば、スリット２７の幅Ｗを２ｍｍにしておけば、利用者が弾性部２６を指で押しても、タクタイルスイッチ１０が押される位置まで弾性部２６を変形させることはできない。これによって、情報が誤入力されることを防止できる。
【００３９】
実施の形態２．
本実施の形態では、制御装置１の内部構造について、より詳細に説明する。本実施の形態で具体的に説明しない特徴は、実施の形態１で開示した何れかの特徴と同じである。
【００４０】
図１４から図１６は、この発明の実施の形態２における制御装置１の例を示す分解図である。図２はパネル６側から見た図であるのに対し、図１４から図１６は固定金具１３側から見た図である。図１５は、制御装置１を固定金具１３から外し、更に制御装置１からカバー８及びカバー９を外した状態を示す。また、図１４は、左斜め後方から見た図であるのに対し、図１６は右斜め後方から見た図である。図１７は、制御基板２及び電源基板３をケース５に収納した状態を示す斜視図である。
【００４１】
ケース４の表面４ａに、凹部２８及び凹部２９が形成される。ケース４の表面４ａは、制御基板２の表面２ａが向く方向とは反対の方向を向く面である。表面２ａは、固定金具１３に対向する。
【００４２】
制御基板２の表面２ｂに、電源端子台１１が設けられる。電源端子台１１は、ケース４を貫通し、その一部が凹部２８に配置される。例えば図１５に示すように、電源端子台１１は、ケース４のうち凹部２８の側壁を形成する部分を貫通する。電源線１２は、電源端子台１１に接続される。電源線１２は、凹部２８を通り、ケース４の下側から引き出される。即ち、凹部２８は、電線を配置するための空間を形成する。電源線１２の少なくとも一部は凹部２８に配置される。電源線１２の端部に、差込プラグが設けられる。カバー８は、凹部２８を覆うようにケース４に設けられる。これにより、電源線１２のうち凹部２８に配置された部分がカバー８によって覆われる。カバー８は、固定金具１３に対向する。カバー８の外形は、全体としてＬ字形状である。
【００４３】
電源線１２は、凹部２８に配置される部分に鍔部１２ａを備える。鍔部１２ａは、電線部分の周囲から突出するように設けられる。ケース４に、鍔部１２ａが差し込まれる受け部３０が備えられる。受け部３０は、凹部２８を形成する底面から突出する。鍔部１２ａが受け部３０に差し込まれると、電源線１２は、その長手方向の移動が受け部３０によって規制される。
【００４４】
受け部３０は、図１５に示すように、鍔部１２ａの両側から鍔部１２ａを挟み込むように配置される。カバー８は、鍔部１２ａが受け部３０に差し込まれた状態で、凹部２８を覆うようにケース４に取り付けられる。カバー８がケース４に取り付けられると、鍔部１２ａは、凹部２８を形成する底面とカバー８の裏面との間に配置される。ケース４とケース４に取り付けられたカバー８とにより、電源線１２は、その長手方向に直交する方向の移動が規制される。
【００４５】
鍔部１２ａは、受け部３０に着脱可能である。カバー８がケース４から取り外されていれば、鍔部１２ａを受け部３０から引き抜くことができる。例えば、壁から引き出された電源用の電線に電源線１２を接続する場合は、鍔部１２ａを受け部３０に差し込んでおく必要はない。
【００４６】
制御装置１は、通信端子台３１を更に備えても良い。通信端子台３１は、制御基板２の表面２ｂに設けられる。通信端子台３１は、ケース４を貫通し、その一部が凹部２８に配置される。図１５は、通信端子台３１がケース４のうち凹部２８の底面を形成する部分を貫通する例を示す。通信端子台３１に、通信線（図示せず）が接続される。通信線は、電源線１２と同様に、凹部２８を通り、ケース４の下側から引き出される。通信線の少なくとも一部は凹部２８に配置される。
【００４７】
本実施の形態に示す例では、制御基板２の表面２ｂに、電源端子台１１及び通信端子台３１の他に、例えばリセットスイッチ３２、書き込み端子３３、アドレス設定器３４、及び無線ユニット３５が更に設けられる。また、制御基板２にアンテナ３６が設けられる。
【００４８】
ケース４のうち凹部２９を形成する部分に、貫通孔３７ａ、貫通孔３７ｂ、及び貫通孔３７ｃが形成される。貫通孔３７ａは、リセットスイッチ３２の位置に合わせて形成される。リセットスイッチ３２は、貫通孔３７ａを通り、その一部が凹部２９に配置される。貫通孔３７ｂは、書き込み端子３３の位置に合わせて形成される。書き込み端子３３は、貫通孔３７ｂを通り、その一部が凹部２９に配置される。貫通孔３７ｃは、アドレス設定器３４の位置に合わせて形成される。アドレス設定器３４は、貫通孔３７ｃを通り、その一部が凹部２９に配置される。カバー９は、凹部２９を覆うようにケース４に設けられる。これにより、リセットスイッチ３２、書き込み端子３３、及びアドレス設定器３４がカバー９によって覆われる。カバー９は、固定金具１３に対向する。
【００４９】
本実施の形態では、図１７に示すように、制御基板２の表面２ｂに２つのリセットスイッチ３２ａ及び３２ｂが設けられる例を示す。例えば、制御基板２の表面２ａに、リセットスイッチ３２ａの位置に合わせて第１のマイコン（図示せず）が設けられる。第１のマイコンは、ユーザインタフェースの設定制御を行うためのマイコンである。リセットスイッチ３２ａは、第１のマイコンに接続される。リセットスイッチ３２ａが押されると、第１のマイコンがリセットされる。
【００５０】
制御基板２の表面２ａに、リセットスイッチ３２ｂの位置に合わせて第２のマイコン（図示せず）が設けられる。第２のマイコンは、制御装置１の動作の設定制御を行うためのマイコンである。リセットスイッチ３２ｂは、第２のマイコンに接続される。リセットスイッチ３２ｂが押されると、第２のマイコンがリセットされる。
【００５１】
本実施の形態に示す例であれば、第１のマイコン及び第２のマイコンを個別にリセットできる。例えば、第２のマイコンをリセットすることなく、第１のマイコンだけをリセットできる。例えば、制御装置１が照明システムに備えられている場合に静電スイッチに不具合が生じても、調光制御を継続したまま、ユーザインタフェースに関する設定だけをリセットできる。
【００５２】
上述したように、カバー９は、凹部２９を覆うようにケース４に設けられる。本実施の形態に示す例では、カバー９がケース４に取り付けられると、リセットスイッチ３２、書き込み端子３３、及びアドレス設定器３４がカバー９によって覆われる。このため、制御装置１を持つ際に、リセットスイッチ３２、書き込み端子３３、及びアドレス設定器３４に手が触れることを防止できる。また、カバー９を外せば、リセットスイッチ３２、書き込み端子３３、及びアドレス設定器３４を容易に操作できる。これらの操作のために制御装置１の本体ケースを分解する必要がなく、作業性に優れる。
【００５３】
本実施の形態に示す例では、ケース４及びケース５からなる本体ケースに、延焼防止部３８が備えられる。延焼防止部３８は、本体ケースの中で耐火性に優れた部分である。例えば、本体ケースの中で最も厚く形成された部分の一部が延焼防止部３８である。樹脂の内部に金属板を配置することによって延焼防止部３８の耐火性を向上させても良い。但し、延焼防止部３８を樹脂のみで形成した方が、本体ケースを安価に且つ軽量にすることができる。延焼防止部３８は、例えば対向部３８ａ、延焼防止壁３８ｂ、及び対向部３８ｃを備える。対向部３８ａ及び延焼防止壁３８ｂは、ケース５に備えられる。対向部３８ｃは、ケース４に備えられる。
【００５４】
上述したように、制御装置１は、制御基板２及び電源基板３を備える。制御基板２は、実装された電子部品とともに、制御動作を行う制御回路を構成する。制御基板２を含む制御回路により、例えば照明システムの各種機能が実現される。電源基板３は、実装された電子部品とともに、電源回路を構成する。電源回路は、制御回路が動作を行うために必要な電力を制御回路に供給する。電源回路には、電源線１２から高い電圧値である交流電力が供給される。電源回路は、制御回路に要求される電圧値まで電圧を下げた上で、制御回路に電力を供給する。延焼防止部３８は、電源回路を配置するための空間を形成する。即ち、延焼防止部３８は、電源回路を囲むように配置される。
【００５５】
対向部３８ａは、電源基板３に対向する。延焼防止壁３８ｂは、ケース５の表面５ｂからケース４側に突出する。延焼防止壁３８ｂは、対向部３８ａの縁からケース４側に突出するように配置される。例えば、対向部３８ａの厚さは、ケース５のうち制御基板２に対向する部分の厚さより大きい。延焼防止壁３８ｂの厚さは、ケース５のうち制御基板２に対向する部分の厚さより大きい。
【００５６】
延焼防止壁３８ｂは、電源基板３及び電源基板３に実装された電子部品の周囲を囲むように配置される。例えば、電源基板３の端面は、延焼防止壁３８ｂに対向する。本実施の形態では、制御基板２と電源基板３とが、延焼防止壁３８ｂを間に挟んで隣接するように本体ケース内に配置される例を示す。この配置であれば、制御装置１の薄型化が可能である。電源端子台１１と電源回路との間に電線３９ａが接続される。延焼防止壁３８ｂに、電線３９ａを通すための切り欠きが形成される。電源回路と制御回路との間に電線３９ｂが接続される。延焼防止壁３８ｂに、電線３９ｂを通すための切り欠きが形成される。
【００５７】
対向部３８ｃは、電源基板３に実装された電子部品に対向する。例えば、ケース４のうち凹部２８の底面を形成する部分は、制御基板２に対向する。ケース４のうち凹部２９の底面を形成する部分は、制御基板２に対向する。対向部３８ｃの厚さは、凹部２８の底面を形成する部分の厚さより大きい。対向部３８ｃの厚さは、凹部２９の底面を形成する部分の厚さより大きい。
【００５８】
本実施の形態に示す例では、制御装置１が制御基板２と電源基板３とを備えるため、延焼防止部３８によって囲まれた空間に電源回路のみを配置することができる。電源回路は延焼防止部３８によって囲まれているため、電源基板３を制御基板２の材料とは異なる材料で形成しても良い。例えば、制御装置１を安価にするため、電源基板３の材料として制御基板２の材料より耐火性に劣る材料を採用しても良い。制御基板２をガラスエポキシ材料で形成し、電源基板３を紙フェノール材料で形成しても良い。
【００５９】
実施の形態１及び２において、ケース４及びケース５は本体ケースの一例である。基板は、本体ケースの内部に配置され、本体ケースによって支持される。本体ケースは、３つ以上の部材によって形成されても良い。
【符号の説明】
【００６０】
１  制御装置、  ２  制御基板、  ３  電源基板、  ４  ケース、  ５  ケース、  ６  パネル、  ７  静電容量スイッチ、  ７ａ  接続部、  ８  カバー、  ９  カバー、  １０  タクタイルスイッチ、  １０ａ  ボタン部、  １１  電源端子台、  １２  電源線、  １２ａ  鍔部、  １３  固定金具、  １４  ＬＥＤ（Ｌｉｇｈｔ  Ｅｍｉｔｔｉｎｇ  Ｄｉｏｄｅ）、  １５  ネジ、  １６  貫通孔、  １７  貫通孔、  １８  貫通孔、  １９  窪み、  ２０  貫通孔、  ２１  貫通孔、  ２２  シート部材、  ２３  電極、  ２４  防塵部、  ２５  棒状部材、  ２６  弾性部、  ２７  スリット、  ２８  凹部、  ２９  凹部、  ３０  受け部、  ３１  通信端子台、  ３２  リセットスイッチ、  ３３  書き込み端子、  ３４  アドレス設定器、  ３５  無線ユニット、  ３６  アンテナ、  ３７ａ〜３７ｃ  貫通孔、  ３８  延焼防止部、  ３８ａ  対向部、  ３８ｂ  延焼防止壁、  ３８ｃ  対向部、  ３９ａ〜３９ｂ  電線
【図１】
2018147872.tif 000003
【図２】
2018147872.tif 000004
【図３】
2018147872.tif 000005
【図４】
2018147872.tif 000006
【図５】
2018147872.tif 000007
【図６】
2018147872.tif 000008
【図７】
2018147872.tif 000009
【図８】
2018147872.tif 000010
【図９】
2018147872.tif 000011
【図１０】
2018147872.tif 000012
【図１１】
2018147872.tif 000013
【図１２】
2018147872.tif 000014
【図１３】
2018147872.tif 000015
【図１４】
2018147872.tif 000016
【図１５】
2018147872.tif 000017
【図１６】
2018147872.tif 000018
【図１７】
2018147872.tif 000019